(57)【要約】  本発明の実施例はＤ２Ｄ通信方法とＤ２Ｄ装置を提供する。該方法は、第一の端末装置がターゲット情報と転送条件情報を含む転送待ち情報を確定することと、前記第一の端末装置が前記転送待ち情報を送信し、第二の端末装置が前記転送待ち情報を受信する時に、前記転送条件情報に基づき、前記転送待ち情報を転送するか否かを確定するようにすることとを含む。このようにして、情報転送を行う端末装置をフィルタリングし、一定の条件を満たす端末装置に転送待ち情報を転送させることにより、大量の情報転送に起因する輻輳を回避する。
2019523572.tif 000002
【特許請求の範囲】
【請求項１】
装置対装置Ｄ２Ｄ通信方法であって、
第一の端末装置がターゲット情報と転送条件情報を含む転送待ち情報を確定することと、
前記第一の端末装置が前記転送待ち情報を送信し、第二の端末装置が前記転送待ち情報を受信する時に、前記転送条件情報に基づき、前記転送待ち情報を転送するか否かを確定するようにすることとを含む、装置対装置Ｄ２Ｄ通信方法。
【請求項２】
前記転送条件情報は、位置条件情報及び／又は時間条件情報を含むことを特徴とする
請求項１に記載の方法。
【請求項３】
前記位置条件情報は、
前記転送待ち情報を転送する必要がある端末装置の経度座標範囲、前記転送待ち情報を転送する必要がある端末装置の緯度座標範囲、前記転送待ち情報を転送する必要がある端末装置の高度座標範囲、前記転送待ち情報を転送する必要がある端末装置と前記第一の端末装置の間の最小距離、及び前記転送待ち情報を転送する必要がある端末装置と前記第一の端末装置の間の最大距離のうちの少なくとも一つを含むことを特徴とする
請求項２に記載の方法。
【請求項４】
前記時間条件情報は前記転送待ち情報の送信時点と最長転送時間を含み、又は前記時間条件情報は前記転送待ち情報の転送終了時点を含むことを特徴とする
請求項２又は３に記載の方法。
【請求項５】
前記転送待ち情報は前記第一の端末装置の属性情報と指示情報を含み、前記指示情報が、前記第二の端末装置が前記転送待ち情報を転送すると同時に、前記第二の端末装置の属性情報も送信するように前記第二の端末装置に指示することに用いられることを特徴とする
請求項１乃至４のいずれか一項に記載の方法。
【請求項６】
前記属性情報は位置情報と、送信時点情報、端末装置のタイプ情報と端末装置の身元情報のうちの少なくとも一つと、を含むことを特徴とする
請求項５に記載の方法。
【請求項７】
前記第一の端末装置が前記転送待ち情報を送信することは、
前記第一の端末装置が前記転送待ち情報をブロードキャストにより送信することを含むことを特徴とする
請求項１乃至６のいずれか一項に記載の方法。
【請求項８】
前記第一の端末装置は車載装置であり、前記ターゲット情報は前記第一の端末装置のユーザニーズ情報又は現在の交通状況情報を含むことを特徴とする
請求項１乃至７のいずれか一項に記載の方法。
【請求項９】
装置対装置Ｄ２Ｄ通信方法であって、
第二の端末装置が第一の端末装置から送信された、ターゲット情報と転送条件情報を含む転送待ち情報を受信することと、
前記第二の端末装置が前記転送条件情報に基づき、前記転送待ち情報を転送するか否かを確定することとを含む、装置対装置Ｄ２Ｄ通信方法。
【請求項１０】
前記第二の端末装置が前記転送条件情報に基づき、前記転送待ち情報を転送するか否かを確定することは、
前記第二の端末装置が前記転送条件情報に示される転送条件を満たす場合、前記転送待ち情報を転送することを確定することと、
前記第二の端末装置が前記転送条件情報に示される転送条件を満たさない場合、前記転送待ち情報の転送を禁止することとを含むことを特徴とする
請求項９に記載の方法。
【請求項１１】
前記転送条件情報は位置条件情報及び／又は時間条件情報を含み、前記第二の端末装置が前記転送条件情報に基づき、前記転送待ち情報を転送するか否かを確定することは、
前記第二の端末装置が前記位置条件情報と前記第二の端末装置の位置及び／又は前記時間条件情報と前記第二の端末装置が前記転送待ち情報を受信した時点に基づき、前記転送待ち情報を転送するか否かを確定することを含むことを特徴とする
請求項９又は１０に記載の方法。
【請求項１２】
前記位置条件情報は、
前記転送待ち情報を転送する必要がある端末装置の経度座標範囲、前記転送待ち情報を転送する必要がある端末装置の緯度座標範囲、前記転送待ち情報を転送する必要がある端末装置の高度座標範囲、前記転送待ち情報を転送する必要がある端末装置と前記第一の端末装置の間の最小距離、及び前記転送待ち情報を転送する必要がある端末装置と前記第一の端末装置の間の最大距離のうちの少なくとも一つを含むことを特徴とする
請求項１１に記載の方法。
【請求項１３】
前記時間条件情報は前記転送待ち情報の送信時点と最長転送時間を含み、又は前記時間条件情報は前記転送待ち情報の転送終了時点を含むことを特徴とする
請求項１１又は１２に記載の方法。
【請求項１４】
前記転送待ち情報が前記第一の端末装置の属性情報と指示情報を含み、前記第二の端末装置が前記転送待ち情報を転送することを確定した場合、前記方法はさらに、
前記第二の端末装置が前記指示情報に基づき、前記転送待ち情報と前記第二の端末装置の属性情報を含む転送情報を確定することと、
前記第二の端末装置が前記転送情報を転送することとを含むことを特徴とする
請求項９乃至１３のいずれか一項に記載の方法。
【請求項１５】
前記属性情報は位置情報と、送信時点情報、端末装置のタイプ情報と端末装置の身元情報のうちの少なくとも一つと、を含むことを特徴とする
請求項１４に記載の方法。
【請求項１６】
前記第二の端末装置が前記転送情報を転送することは、
前記第二の端末装置が前記転送情報をブロードキャストすることを含むことを特徴とする
請求項９乃至１５のいずれか一項に記載の方法。
【請求項１７】
装置対装置Ｄ２Ｄ通信方法であって、
第一の端末装置がターゲット情報、前記第一の端末装置の属性情報と指示情報を含む転送待ち情報を確定することと、
前記第一の端末装置が前記転送待ち情報を送信し、前記指示情報が、前記転送待ち情報を転送すると同時に、前記第二の端末装置の属性情報も送信するように前記第二の端末装置に指示することに用いられることとを含む、装置対装置Ｄ２Ｄ通信方法。
【請求項１８】
前記属性情報は位置情報と、送信時点情報、端末装置のタイプ情報と端末装置の身元情報のうちの少なくとも一つと、を含むことを特徴とする
請求項１７に記載の方法。
【請求項１９】
前記第一の端末装置が前記転送待ち情報を送信することは、
前記第一の端末装置が前記転送待ち情報をブロードキャストにより送信することを含むことを特徴とする
請求項１７又は１８に記載の方法。
【請求項２０】
装置対装置Ｄ２Ｄ通信方法であって、
第二の端末装置が前記第一の端末装置から送信された、ターゲット情報、前記第一の端末装置の属性情報と指示情報を含む転送待ち情報を受信することと、
前記第二の端末装置が前記指示情報に基づき、前記転送待ち情報と前記第二の端末装置の属性情報を含む転送情報を確定することと、
前記第二の端末装置が前記転送情報を送信することとを含む、装置対装置Ｄ２Ｄ通信方法。
【請求項２１】
前記属性情報は位置情報と、送信時点情報、端末装置のタイプ情報と端末装置の身元情報のうちの少なくとも一つと、を含むことを特徴とする
請求項２０に記載の方法。
【請求項２２】
前記第二の端末装置が第一の端末装置から送信された転送待ち情報を受信した場合、前記方法はさらに、
前記第二の端末装置が前記転送待ち情報に基づき、前記転送待ち情報の転送に関与する端末装置の位置情報を含む、前記転送待ち情報の伝送経路を確定することを含むことを特徴とする
請求項２０又は２１に記載の方法。
【請求項２３】
前記方法はさらに、
前記第二の端末装置が前記転送待ち情報の複数の伝送経路において、ターゲット伝送経路を確定することと、
前記第二の端末装置が前記ターゲット伝送経路に基づき、前記第一の端末装置へフィードバック情報を送信することとを含むことを特徴とする
請求項２２に記載の方法。
【請求項２４】
前記方法はさらに、
前記第二の端末装置が前記転送待ち情報の複数の伝送経路に基づき、該複数の伝送経路における前記転送待ち情報の転送に関与する複数の端末装置の位置分布状況を確定することを含むことを特徴とする
請求項２２に記載の方法。
【請求項２５】
前記第二の端末装置が前記転送情報を送信することは、
前記第二の端末装置が前記転送情報をブロードキャストにより送信することを含むことを特徴とする
請求項２０乃至２４のいずれか一項に記載の方法。
【請求項２６】
装置対装置Ｄ２Ｄ装置であって、
ターゲット情報と転送条件情報を含む転送待ち情報を確定するように構成される確定モジュールと、
前記確定モジュールによって確定された前記転送待ち情報を送信し、第二の端末装置が前記転送待ち情報を受信する時に、前記転送条件情報に基づき、前記転送待ち情報を転送するか否かを確定するようにするように構成される送信モジュールとを備える、装置対装置Ｄ２Ｄ装置。
【請求項２７】
前記転送条件情報は位置条件情報及び／又は時間条件情報を含むことを特徴とする
請求項２６に記載のＤ２Ｄ装置。
【請求項２８】
前記位置条件情報は、
前記転送待ち情報を転送する必要がある端末装置の経度座標範囲、前記転送待ち情報を転送する必要がある端末装置の緯度座標範囲、前記転送待ち情報を転送する必要がある端末装置の高度座標範囲、前記転送待ち情報を転送する必要がある端末装置と前記第一の端末装置の間の最小距離、及び前記転送待ち情報を転送する必要がある端末装置と前記第一の端末装置の間の最大距離のうちの少なくとも一つを含むことを特徴とする
請求項２７に記載のＤ２Ｄ装置。
【請求項２９】
前記時間条件情報は前記転送待ち情報の送信時点と最長転送時間を含み、又は前記時間条件情報は前記転送待ち情報の転送終了時点を含むことを特徴とする
請求項２７又は２８に記載のＤ２Ｄ装置。
【請求項３０】
前記転送待ち情報は前記第一の端末装置の属性情報と指示情報を含み、前記指示情報が、前記転送待ち情報を転送すると同時に、前記第二の端末装置の属性情報も送信するように前記第二の端末装置に指示することに用いられることを特徴とする
請求項２６乃至２９のいずれか一項に記載のＤ２Ｄ装置。
【請求項３１】
前記属性情報は位置情報と、送信時点情報、端末装置のタイプ情報と端末装置の身元情報のうちの少なくとも一つと、を含むことを特徴とする
請求項３０に記載のＤ２Ｄ装置。
【請求項３２】
前記送信モジュールは具体的に、
前記転送待ち情報をブロードキャストにより送信するように構成されることを特徴とする
請求項２６乃至３１のいずれか一項に記載のＤ２Ｄ装置。
【請求項３３】
前記第一の端末装置は車載装置であり、前記ターゲット情報は前記第一の端末装置のユーザニーズ情報又は現在の交通状況情報を含むことを特徴とする
請求項２６乃至３２のいずれか一項に記載のＤ２Ｄ装置。
【請求項３４】
装置対装置Ｄ２Ｄ装置であって、
第一の端末装置から送信された、ターゲット情報と転送条件情報を含む転送待ち情報を受信するように構成される受信モジュールと、
前記受信モジュールによって受信された前記転送条件情報に基づき、前記転送待ち情報を転送するか否かを確定するように構成される確定モジュールとを備える、装置対装置Ｄ２Ｄ装置。
【請求項３５】
前記確定モジュールは具体的に、
前記第二の端末装置が前記転送条件情報に示される転送条件を満たす場合、前記転送待ち情報を転送することを確定し、
前記第二の端末装置が前記転送条件情報に示される転送条件を満たさない場合、前記転送待ち情報の転送を禁止するように構成されることを特徴とする
請求項３４に記載のＤ２Ｄ装置。
【請求項３６】
前記転送条件情報は位置条件情報及び／又は時間条件情報を含み、前記確定モジュールは具体的に、
前記位置条件情報と前記第二の端末装置の位置及び／又は前記時間条件情報と前記第二の端末装置が前記転送待ち情報を受信した時点に基づき、前記転送待ち情報を転送するか否かを確定するように構成されることを特徴とする
請求項３４又は３５に記載のＤ２Ｄ装置。
【請求項３７】
前記位置条件情報は、
前記転送待ち情報を転送する必要がある端末装置の経度座標範囲、前記転送待ち情報を転送する必要がある端末装置の緯度座標範囲、前記転送待ち情報を転送する必要がある端末装置の高度座標範囲、前記転送待ち情報を転送する必要がある端末装置と前記第一の端末装置の間の最小距離、及び前記転送待ち情報を転送する必要がある端末装置と前記第一の端末装置の間の最大距離のうちの少なくとも一つを含むことを特徴とする
請求項３６に記載のＤ２Ｄ装置。
【請求項３８】
前記時間条件情報は前記転送待ち情報の送信時点と最長転送時間を含み、又は前記時間条件情報は前記転送待ち情報の転送終了時点を含むことを特徴とする
請求項３６又は３７に記載のＤ２Ｄ装置。
【請求項３９】
前記転送待ち情報が前記第一の端末装置の属性情報と指示情報を含み、前記第二の端末装置が前記転送待ち情報を転送することを確定した場合、前記確定モジュールはさらに、
前記指示情報に基づき、前記転送待ち情報と前記第二の端末装置の属性情報を含む転送情報を確定するように構成され、
前記送信モジュールはさらに前記転送情報を転送するように構成されることを特徴とする
請求項３４乃至３８のいずれか一項に記載のＤ２Ｄ装置。
【請求項４０】
前記属性情報は位置情報と、送信時点情報、端末装置のタイプ情報と端末装置の身元情報のうちの少なくとも一つと、を含むことを特徴とする
請求項３９に記載のＤ２Ｄ装置。
【請求項４１】
前記送信モジュールは具体的に、
前記転送情報をブロードキャストするように構成されることを特徴とする
請求項３４乃至４０のいずれか一項に記載のＤ２Ｄ装置。
【請求項４２】
装置対装置Ｄ２Ｄ装置であって、
ターゲット情報、前記第一の端末装置の属性情報と指示情報を含む転送待ち情報を確定するように構成される確定モジュールと、
前記確定モジュールによって確定された前記転送待ち情報を送信するように構成され、前記指示情報が、前記転送待ち情報を転送すると同時に、前記第二の端末装置の属性情報も送信するように前記第二の端末装置に指示することに用いられる送信モジュールとを備える、装置対装置Ｄ２Ｄ装置。
【請求項４３】
前記属性情報は位置情報と、送信時点情報、端末装置のタイプ情報と端末装置の身元情報のうちの少なくとも一つと、を含むことを特徴とする
請求項４２に記載のＤ２Ｄ装置。
【請求項４４】
前記送信モジュールは具体的に、
前記転送待ち情報をブロードキャストにより転送するように構成されることを特徴とする
請求項４２又は４３に記載のＤ２Ｄ装置。
【請求項４５】
装置対装置Ｄ２Ｄ装置であって、
第一の端末装置から送信された、ターゲット情報、前記第一の端末装置の属性情報と指示情報を含む転送待ち情報を受信するように構成される受信モジュールと、
前記受信モジュールによって受信された前記指示情報に基づき、前記転送待ち情報と前記第二の端末装置の属性情報を含む転送情報を確定するように構成される確定モジュールと、
前記確定モジュールによって確定された前記転送情報を送信するように構成される送信モジュールとを備える、前記装置対装置Ｄ２Ｄ装置。
【請求項４６】
前記属性情報は位置情報と、送信時点情報、端末装置のタイプ情報と端末装置の身元情報のうちの少なくとも一つと、を含むことを特徴とする
請求項４５に記載のＤ２Ｄ装置。
【請求項４７】
前記受信モジュールが前記第一の端末装置から送信された前記転送待ち情報を受信した場合、前記確定モジュールはさらに、
前記転送待ち情報に基づき、前記転送待ち情報の転送に関与する端末装置の位置情報を含む、前記転送待ち情報の伝送経路を確定するように構成されることを特徴とする
請求項４５又は４６に記載のＤ２Ｄ装置。
【請求項４８】
前記確定モジュールはさらに、
前記転送待ち情報の複数の伝送経路において、ターゲット伝送経路を確定するように構成され、
前記送信モジュールはさらに、前記ターゲット伝送経路に基づき、前記第一の端末装置へフィードバック情報を送信するように構成されることを特徴とする
請求項４７に記載のＤ２Ｄ装置。
【請求項４９】
前記確定モジュールはさらに、
前記転送待ち情報の複数の伝送経路に基づき、前記複数の伝送経路における前記転送待ち情報の転送に関与する複数の端末装置の位置分布状況を確定するように構成されることを特徴とする
請求項４７に記載のＤ２Ｄ装置。
【請求項５０】
前記送信モジュールは具体的に、
前記転送情報をブロードキャストにより送信するように構成されることを特徴とする
請求項４５乃至４９のいずれか一項に記載のＤ２Ｄ装置。
【発明の詳細な説明】
【技術分野】
【０００１】
本発明の実施例は無線通信分野に関し、且つより具体的には、装置対装置（Ｄ２：Ｄｅｖｉｃｅ  ｔｏ  Ｄｅｖｉｃｅ）通信方法とＤ２Ｄ装置に関する。
【背景技術】
【０００２】
第３世代パートナーシッププロジェクト（ｔｈｅ  ３ｒｄ  Ｇｅｎｅｒａｔｉｏｎ  Ｐａｒｔｎｅｒｓｈｉｐ  Ｐｒｏｊｅｃｔ、「３ＧＰＰ」と略称）プロトコルにおいて、装置対装置（Ｄｅｖｉｃｅ  ｔｏ  Ｄｅｖｉｃｅ、「Ｄ２Ｄ」と略称）通信は既に標準化されている。車ネットワークの継続的発展に伴い、自動車が除々にリムーバブルプラットフォームとして情報の伝送及び交換に関与し、車と端末、車と車の間のインタラクションもますます頻繁になるに間違いなく、車対車（Ｖｅｈｉｃｌｅ  ｔｏ  Ｖｅｈｉｃｌｅ、「Ｖ２Ｖ」と略称）技術と車対装置（Ｖｅｈｉｃｌｅ  ｔｏ  Ｘ、「Ｖ２Ｘ」）技術が研究の焦点になり、そのため多くの問題をもたらす。例えば、ＰＣ５インタフェースに基づく車対装置の通信プロセスでは、送受信側車の間の距離が一定の範囲を超える場合、車間通信のサービス連続性を保証するために、送信電力を増大する必要があり、車間の距離が継続的に増大する場合、単に送信電力だけを増大しても問題を解決できず、送受信側車間にマルチホップ中継を使用して情報を転送する必要になってくる。しかしながら、ネットワーク制御のないＶ２Ｘ通信では、装置間に情報を送信する時に、競争メカニズムが採用されるため、いくつかの重要な情報（例えば交通状況と関連する情報、交通渋滞情報など）が、異なる車によって転送（中継）される必要がある時に、他の大量の情報も転送され、極めて容易にネットワークの輻輳を引き起こし、逆に真の重要な情報が他の車に取得されることができなくなる。
【発明の概要】
【発明が解決しようとする課題】
【０００３】
本発明の実施例はＤ２Ｄ通信方法とＤ２Ｄ装置を提供し、Ｄ２Ｄ通信中の大量の情報転送に起因する輻輳問題を解決する。
【課題を解決するための手段】
【０００４】
第一の態様によるＤ２Ｄ通信方法は、
第一の端末装置がターゲット情報と転送条件情報を含む転送待ち情報を確定することと、
前記第一の端末装置が前記転送待ち情報を送信し、第二の端末装置が前記転送待ち情報を受信する時に、前記転送条件情報に基づき、前記転送待ち情報を転送するか否かを確定するようにすることとを含む。
【０００５】
したがって、本発明の実施例によるＤ２Ｄ通信方法では、情報転送を行う装置をフィルタリングし、一定の条件を満たす端末装置に転送待ち情報を転送させることにより、大量の情報転送に起因する輻輳を回避する。
【０００６】
他の実施例として、前記転送条件情報は、位置条件情報及び／又は時間条件情報を含む。
【０００７】
他の実施例として、前記位置条件情報は、
前記転送待ち情報を転送する必要がある端末装置の経度座標範囲、前記転送待ち情報を転送する必要がある端末装置の緯度座標範囲、前記転送待ち情報を転送する必要がある端末装置の高度座標範囲、前記転送待ち情報を転送する必要がある端末装置と前記第一の端末装置の間の最小距離、及び前記転送待ち情報を転送する必要がある端末装置と前記第一の端末装置の間の最大距離のうちの少なくとも一つを含む。
【０００８】
他の実施例として、前記時間条件情報は前記転送待ち情報の送信時点と最長転送時間を含み、又は前記時間条件情報は前記転送待ち情報の転送終了時点を含む。
【０００９】
他の実施例として、前記転送待ち情報は前記第一の端末装置の属性情報と指示情報を含み、前記指示情報が、前記転送待ち情報を転送すると同時に、前記第二の端末装置の属性情報も送信するように前記第二の端末装置に指示することに用いられる。
【００１０】
他の実施例として、前記属性情報は位置情報と、送信時点情報、端末装置のタイプ情報と端末装置の身元情報のうちの少なくとも一つとを含む。
【００１１】
他の実施例として、前記第一の端末装置が前記転送待ち情報を送信することは、
前記第一の端末装置が前記転送待ち情報をブロードキャストにより送信することを含む。
【００１２】
他の実施例として、前記第一の端末装置は車載装置であり、前記ターゲット情報は前記第一の端末装置のユーザニーズ情報又は現在の交通状況情報を含む。
【００１３】
第二の態様によるＤ２Ｄ通信方法は、
第二の端末装置が第一の端末装置から送信された、ターゲット情報と転送条件情報を含む転送待ち情報を受信することと、
前記第二の端末装置が前記転送条件情報に基づき、前記転送待ち情報を転送するか否かを確定することとを含む。
【００１４】
このようにして、転送条件情報に基づき、該転送待ち情報を転送するか否かを確定し、条件を満たさない端末装置が該転送待ち情報を転送する必要がなく、それによって大量の情報転送に起因する輻輳を回避する。
【００１５】
他の実施例として、前記第二の端末装置が前記転送条件情報に基づき、前記転送待ち情報を転送するか否かを確定することは、
前記第二の端末装置が前記転送条件情報に示される転送条件を満たす場合、前記転送待ち情報を転送することを確定することと、
前記第二の端末装置が前記転送条件情報に示される転送条件を満たさない場合、前記転送待ち情報の転送を禁止することとを含む。
【００１６】
他の実施例として、前記転送条件情報は位置条件情報及び／又は時間条件情報を含み、前記第二の端末装置が前記転送条件情報に基づき、前記転送待ち情報を転送するか否かを確定することは、
前記第二の端末装置が前記位置条件情報と前記第二の端末装置の位置及び／又は前記時間条件情報と前記第二の端末装置が前記転送待ち情報を受信した時点に基づき、前記転送待ち情報を転送するか否かを確定することを含む。
【００１７】
他の実施例として、前記位置条件情報は、
前記転送待ち情報を転送する必要がある端末装置の経度座標範囲、前記転送待ち情報を転送する必要がある端末装置の緯度座標範囲、前記転送待ち情報を転送する必要がある端末装置の高度座標範囲、前記転送待ち情報を転送する必要がある端末装置と前記第一の端末装置の間の最小距離、及び前記転送待ち情報を転送する必要がある端末装置と前記第一の端末装置の間の最大距離のうちの少なくとも一つを含む。
【００１８】
他の実施例として、前記時間条件情報は前記転送待ち情報の送信時点と最長転送時間を含み、又は前記時間条件情報は前記転送待ち情報の転送終了時点を含む。
【００１９】
他の実施例として、前記転送待ち情報が前記第一の端末装置の属性情報と指示情報を含み、前記第二の端末装置が前記転送待ち情報を転送することを確定した場合、前記方法はさらに、
前記第二の端末装置が前記指示情報に基づいて前記転送待ち情報と前記第二の端末装置の属性情報を含む転送情報を確定することと、
前記第二の端末装置が前記転送情報を転送することとを含む。
【００２０】
他の実施例として、前記属性情報は位置情報と、送信時点情報、端末装置のタイプ情報と端末装置の身元情報のうちの少なくとも一つと、を含む。
【００２１】
他の実施例として、前記第二の端末装置が前記転送情報を転送することは、
前記第二の端末装置が前記転送情報をブロードキャストすることを含む。
【００２２】
第三の態様によるＤ２Ｄ通信方法は、
第一の端末装置がターゲット情報、前記第一の端末装置の属性情報と指示情報を含む転送待ち情報を確定することと、
前記第一の端末装置が前記転送待ち情報を送信し、前記指示情報が、前記転送待ち情報を転送すると同時に、前記第二の端末装置の属性情報も送信するように前記第二の端末装置に指示することに用いられることとを含む。
【００２３】
他の実施例として、前記属性情報は位置情報と、送信時点情報、端末装置のタイプ情報と端末装置の身元情報のうちの少なくとも一つと、を含む。
【００２４】
他の実施例として、前記第一の端末装置が前記転送待ち情報を送信することは、
前記第一の端末装置が前記転送待ち情報をブロードキャストにより送信することを含む。
【００２５】
このようにして、該指示情報により、端末装置はそれに受信された該転送待ち情報の伝送経路を取得することができる。
【００２６】
第四の態様によるＤ２Ｄ通信方法は、
第二の端末装置が前記第一の端末装置から送信された、ターゲット情報、前記第一の端末装置の属性情報と指示情報を含む転送待ち情報を受信することと、
前記第二の端末装置が前記指示情報に基づき、前記転送待ち情報と前記第二の端末装置の属性情報を含む転送情報を確定することと、
前記第二の端末装置が前記転送情報を送信することとを含む。
【００２７】
このようにして、該指示情報により、端末装置はそれに受信された転送待ち情報の伝送経路を確定することができる。
【００２８】
他の実施例として、前記属性情報は位置情報と、送信時点情報、端末装置のタイプ情報と端末装置の身元情報のうちの少なくとも一つと、を含む。
【００２９】
他の実施例として、前記第二の端末装置が第一の端末装置から送信された転送待ち情報を受信した場合、前記方法はさらに、
前記第二の端末装置が前記転送待ち情報に基づき、前記転送待ち情報の転送に関与する端末装置の位置情報を含む、前記転送待ち情報の伝送経路を確定することを含む。
【００３０】
第五の態様による装置対装置Ｄ２Ｄ装置は、上記第一の態様及び様々な実施形態におけるＤ２Ｄ通信方法の第一の端末装置によって実行される各プロセスを実行することに用いられてもよく、該Ｄ２Ｄ装置は、
ターゲット情報と転送条件情報を含む転送待ち情報を確定するように構成される確定モジュールと、
前記確定モジュールによって確定された前記転送待ち情報を送信し、第二の端末装置が前記転送待ち情報を受信する時に、前記転送条件情報に基づき、前記転送待ち情報を転送するか否かを確定するようにするように構成される送信モジュールとを備える。
【００３１】
第六の態様による装置対装置Ｄ２Ｄ装置は、上記第二の態様及び様々な実施形態におけるＤ２Ｄ通信方法の第二の端末装置によって実行される各プロセスを実行することに用いられてもよい。該Ｄ２Ｄ装置は、
第一の端末装置から送信された、ターゲット情報と転送条件情報を含む転送待ち情報を受信するように構成される受信モジュールと、
前記受信モジュールによって受信された前記転送条件情報に基づき、前記転送待ち情報を転送するか否かを確定するように構成される確定モジュールとを備える。
【００３２】
第七の態様による装置対装置Ｄ２Ｄ装置は、上記第三の態様及び様々な実施形態におけるＤ２Ｄ通信方法の第一の端末装置によって実行される各プロセスを実行することに用いられてもよい。該Ｄ２Ｄ装置は、
ターゲット情報、前記第一の端末装置の属性情報と指示情報を含む転送待ち情報を確定するように構成される確定モジュールと、
前記確定モジュールによって確定された前記転送待ち情報を送信するように構成され、前記指示情報が、前記転送待ち情報を転送すると同時に、前記第二の端末装置の属性情報も送信するように前記第二の端末装置に指示することに用いられる送信モジュールとを備える。
【００３３】
第八の態様による装置対装置Ｄ２Ｄ装置は、上記第四の態様及び様々な実施形態におけるＤ２Ｄ通信方法の第二の端末装置によって実行される各プロセスを実行することに用いられてもよい。該Ｄ２Ｄ装置は、
第一の端末装置から送信された、ターゲット情報、前記第一の端末装置の属性情報と指示情報を含む転送待ち情報を受信するように構成される受信モジュールと、
前記受信モジュールによって受信された前記指示情報に基づき、前記転送待ち情報と前記第二の端末装置の属性情報を含む転送情報を確定するように構成される確定モジュールと、
前記確定モジュールによって確定された前記転送情報を送信するように構成される送信モジュールとを備える。
【００３４】
第九の態様による他の装置対装置Ｄ２Ｄ装置は、記憶ユニットとプロセッサを備え、該記憶ユニットが命令を記憶することに用いられ、該プロセッサが該メモリに記憶された命令を実行することに用いられ、且つ該プロセッサが該メモリに記憶された命令を実行する場合、該実行により該プロセッサが第一の態様又は第一の態様のいずれかの可能な実施形態における方法を実行する。
【００３５】
第十の態様による他の装置対装置Ｄ２Ｄ装置は、記憶ユニットとプロセッサを備え、該記憶ユニットが命令を記憶することに用いられ、該プロセッサが該メモリに記憶された命令を実行することに用いられ、該プロセッサが該メモリに記憶された命令を実行する場合、該実行により該プロセッサが第二の態様又は第二の態様のいずれかの可能な実施形態における方法を実行する。
【００３６】
第十一の態様による装置対装置Ｄ２Ｄ装置は、記憶ユニットとプロセッサを備え、該記憶ユニットが命令を記憶することに用いられ、該プロセッサが該メモリに記憶された命令を実行することに用いられ、該プロセッサが該メモリに記憶された命令を実行する場合、該実行により該プロセッサが第三の態様又は第三の態様のいずれかの可能な実施形態における方法を実行する。
【００３７】
第十二の態様による装置対装置Ｄ２Ｄ装置は、記憶ユニットとプロセッサを備え、該記憶ユニットが命令を記憶することに用いられ、該プロセッサが該メモリに記憶された命令を実行することに用いられ、該プロセッサが該メモリに記憶された命令を実行する場合、該実行により該プロセッサが第四の態様又は第四の態様のいずれかの可能な実施形態における方法を実行する。
【００３８】
第十三の態様によるコンピュータ可読媒体は、第一の態様又は第一の態様のいずれかの可能な実施形態における方法を実行するための命令を含むコンピュータプログラムを記憶することに用いられる。
【００３９】
第十四の態様によるコンピュータ可読媒体は、第二の態様又は第二の態様のいずれかの可能な実施形態における方法を実行するための命令を含むコンピュータプログラムを記憶することに用いられる。
【００４０】
第十五の態様によるコンピュータ可読媒体は、第三の態様又は第三の態様のいずれかの可能な実施形態における方法を実行するための命令を含むコンピュータプログラムを記憶することに用いられる。
【００４１】
第十六の態様によるコンピュータ可読媒体は、第四の態様又は第四の態様のいずれかの可能な実施形態における方法を実行するための命令を含むコンピュータプログラムを記憶することに用いられる。
【００４２】
上記技術的解決手段に基づき、本発明の実施例において情報転送を行う装置をフィルタリングし、一定の条件を満たす端末装置に転送待ち情報を転送させることにより、大量の情報転送に起因する輻輳を回避する。
【図面の簡単な説明】
【００４３】
【図１】本発明の実施例の一つの応用シーンを示す図である。
【図２】本発明の実施例のＤ２Ｄ通信方法のプロセスインタラクション図である。
【図３】本発明の他の実施例によるＤ２Ｄ通信方法のプロセスインタラクション図である。
【図４】本発明の他の実施例によるＤ２Ｄ通信方法のプロセスインタラクション図である。
【図５】本発明の一つの実施例によるＤ２Ｄ装置の構造ブロック図である。
【図６】本発明の一つの実施例によるＤ２Ｄ装置の構造ブロック図である。
【図７】本発明の一つの実施例によるシステムチップの概略構造図である。
【図８】本発明の他の実施例によるＤ２Ｄ装置の構造ブロック図である。
【図９】本発明の他の実施例によるＤ２Ｄ装置の構造ブロック図である。
【図１０】本発明の他の実施例によるシステムチップの概略構造図である。
【図１１】本発明の他の実施例によるＤ２Ｄ装置の構造ブロック図である。
【図１２】本発明の他の実施例によるＤ２Ｄ装置の構造ブロック図である。
【図１３】本発明の他の実施例によるシステムチップの概略構造図である。
【図１４】本発明の他の実施例によるＤ２Ｄ装置の構造ブロック図である。
【図１５】本発明の他の実施例によるＤ２Ｄ装置の構造ブロック図である。
【図１６】本発明の他の実施例によるシステムチップの概略構造図である。
【発明を実施するための形態】
【００４４】
本出願の実施例の技術的解決策をより明確に説明するために、以下に本出願の実施例に必要な図面を簡単に説明し、明らかに、以下に記載される図面が本出願のいくつかの実施例に過ぎず、当業者であれば、創造的な労力を要することなく、これらの図面に基づいて他の図面を得ることができる。
【００４５】
以下に本発明の実施例の図面を組み合わせながら、本発明の実施例に係る技術的解決策を明確に全面的に説明し、明らかに、説明した実施例は本発明の一部の実施例に過ぎず、全ての実施例ではない。本発明の実施例に基づき、当業者が創造的な労力を要せずに得た他の実施例は、全て本発明の保護範囲に属する。
【００４６】
理解すべきものとして、本発明の技術的解決策は、様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ、「ＧＳＭ」略称）システム、符号分割多元アクセス（Ｃｏｄｅ  Ｄｉｖｉｓｉｏｎ  Ｍｕｌｔｉｐｌｅ  Ａｃｃｅｓｓ、「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ、「ＬＴＥ」と略称）システム、高度な長期進化型（Ａｄｖａｎｃｅｄ  ｌｏｎｇ  ｔｅｒｍ  ｅｖｏｌｕｔｉｏｎ、「ＬＴＥ−Ａ」と略称）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、将来の５Ｇ通信システムなどに応用されてもよい。
【００４７】
いくつかの実施例では、Ｄ２Ｄ通信は車対車（Ｖ２Ｖ：Ｖｅｈｉｃｌｅ  ｔｏ  Ｖｅｈｉｃｌｅ）通信、又はＶ２Ｘ通信を指すことができる。Ｖ２Ｘ通信では、Ｘは無線受信及び送信能力を有しているいかなるデバイスを広く指すことができ、例えば遅く移動する無線デバイス、速く移動する車載デバイス、又は無線送信及び受信能力を有しているネットワーク制御ノードなどであるがこれらに限定されず、本発明はこれに限定されない。
【００４８】
理解すべきものとして、本発明の実施例は主にＶ２Ｘ通信シーンに応用されるが、任意の他のＤ２Ｄ通信シーンに応用されてもよく、本発明の実施例はこれに限定されない。
【００４９】
Ｖ２Ｘ通信は２つの通信モードがあり、一つは装置間直接通信であり、ＰＣ５インタフェースに基づく通信と呼ばれ、もう一つは従来の長期進化（Ｌｏｎｇ  Ｔｅｒｍ  Ｅｖｏｌｕｔｉｏｎ、「ＬＴＥ」と略称）システムにおけるエアインタフェース（Ｕｓｅｒ  Ｅｑｕｉｐｍｅｎｔ  ｔｏ  Ｕｎｉｖｅｒｓａｌ、「ＵＵインタフェース」と略称）に基づく通信であり、このモードで、装置間通信が基地局の中継、即ち装置−基地局−装置によって実現される。本発明の実施例では、装置同士はＰＣ５インタフェースに基づいて情報交換を行う。一つの端末装置が他の端末装置によって転送される必要があるメッセージをＰＣ５インタフェースで送信する場合、該端末装置は一定の転送条件を追加する必要があり、他の端末装置は該メッセージを転送する前に、それが該転送条件を満たすか否かを判定する必要があり、他の端末装置がこのメッセージを転送する場合、該メッセージに搬送された転送条件を同時に転送する必要がある。
【００５０】
図１は本発明の実施例の一つの応用シーンを示す図である。図１においてＶ２Ｘ通信シーンを例として説明するが、本発明の実施例は任意の他のＤ２Ｄ通信シーンに応用されてもよく、本発明はこれに限定されない。図１に一つの完全なＤ２Ｄ通信リンクにおける情報伝送に関与する部分の端末装置が示される。ここで、端末装置１０は端末装置２０、端末装置２１と端末装置２２へメッセージを送信し、端末装置２０が転送条件を満たし、端末装置２１と端末装置２２が転送条件を満たさないと仮定する場合、端末装置２０が該メッセージを転送し、例えば端末装置３０、端末装置３１と端末装置３２へ該メッセージを転送することができ、端末装置２１と端末装置２２が該メッセージを転送しない。
【００５１】
図１に示される異なる端末装置は速く移動する車載装置例えば端末装置１０、端末装置２０、端末装置２２、端末層値３０と端末装置３１、又は無線送受信能力を有するネットワーク制御ノード、例えば端末装置２１、又は遅く移動する無線装置例えば端末装置３２を備えることができる。しかし、本発明の実施例において該Ｄ２Ｄ通信に関与する端末装置のタイプが何ら限定されず、該端末装置は無線受信及び送信能力を有する他のＤ２Ｄ装置であってもよい。
【００５２】
図２は本発明の実施例によるＤ２Ｄ通信方法のプロセスインタラクション図である。ここで、端末装置１０と端末装置２０を例として説明するが、本発明の実施例はこれに限定されず、本発明の実施例における通信方法では、端末装置１０は端末装置２０を含む複数の端末装置へ転送待ち情報を送信することができ、転送待ち情報を受信した他の端末装置によって実行される方法は端末装置２０によって実行される方法を参照できる。図２に示すように、該Ｄ２Ｄ通信装置方法は以下のステップを含む。
【００５３】
２０１において、端末装置１０はターゲット情報と転送条件情報を含む転送待ち情報を確定する。
【００５４】
具体的には、端末装置１０は他の端末装置に転送される必要がある転送待ち情報を確定し、該転送情報にターゲット情報だけでなく、該ターゲット情報が転送し続けられてもよいか否かを示すための転送条件情報が含まれる。選択可能に、該ターゲット情報は端末装置１０のユーザニーズ情報又は現在の交通状況情報を含む。他の端末装置、例えば端末装置２０が該転送待ち情報を受信した場合、端末装置２０は該転送待ち情報内の転送条件情報に基づき、該転送待ち情報を転送し続けるか否かを確定することができる。該端末装置２０が転送条件情報に示される転送条件を満たさない場合、該転送待ち情報を転送せず、該端末装置２０が該転送条件情報に示される転送条件を満たす場合、該端末装置２０は他の端末装置へ該転送待ち情報を転送し続け、該転送待ち情報に該転送条件情報が含まれる。
【００５５】
選択可能に、該転送条件情報は位置条件情報及び／又は時間条件情報を含む。
【００５６】
即ち、上記転送条件情報に示される転送条件は、地理位置に基づく条件であってもよいし、時間に基づく条件であってもよいし、同時に地理位置と時間に基づく条件であってもよい。
【００５７】
Ｖ２Ｘ通信のプロセスでは、交通情報又は端末装置間の発見を問わず、一定の位置範囲内でなければ、意味がない。したがって、端末装置１０は、他の端末装置を介して転送する必要があるターゲット情報をＰＣ５インタフェースで送信する時に、該情報の有効な位置範囲をつけることができる。一定の地理位置範囲内である場合のみ、該ターゲット情報が有効であり、換言すれば、この場合のみ、該ターゲット情報が他の端末装置に転送し続けられる必要性がある。
【００５８】
選択可能に、該位置条件情報は、
前記転送待ち情報を転送する必要がある端末装置の経度座標範囲、前記転送待ち情報を転送する必要がある端末装置の緯度座標範囲、前記転送待ち情報を転送する必要がある端末装置の高度座標範囲、前記転送待ち情報を転送する必要がある端末装置と前記第一の端末装置の間の最小距離、及び前記転送待ち情報を転送する必要がある端末装置と前記第一の端末装置の間の最大距離のうちの少なくとも一つを含む。
【００５９】
例えば、該転送条件情報に、前記転送待ち情報を転送する必要がある端末装置の経度座標範囲、及び前記転送待ち情報を転送する必要がある端末装置の緯度座標範囲が含まれると仮定する。しかも端末装置１０は走行中に深刻な交通渋滞に遭遇した場合、該交通渋滞のメッセージ、即ちターゲット情報を他の端末装置に通知する必要がある。該交通渋滞が発生するエリア範囲が東経１１６°２３′１７〃、北緯３９°５４′５９〃から東経１１６°３０′１８〃、北緯３９°５５′００〃までの範囲であると仮定する場合、端末装置１０は、ここで渋滞していることを地理位置が東経１１６°２３′１５〃、北緯３９°５４′５８〃から東経１１６°３０′２０〃、北緯３９°５５′０１〃までである範囲内に位置する端末装置に通知する必要があり、そのため該交通渋滞の情報に含まれる転送条件情報が該地理位置範囲を含み、該範囲内の端末装置が該交通渋滞の影響を大きく受けるため、これらの端末装置は、該交通渋滞メッセージを受信した後に、自分の走行ルートを調整又は変更し、更なる深刻な交通渋滞と大量の交通量による交通事故を避けることができる。該範囲以外に位置する他の端末装置に対して、該交通渋滞の影響を小さく受けるため、該交通渋滞メッセージをこれらの端末装置に転送する必要がなく、大量の情報転送に起因するネットワーク渋滞を減少し、該交通渋滞メッセージが必要な端末装置によって適時且つ正確に受信されることができる。
【００６０】
また、例えば、端末装置１０は他の端末装置へ転送待ち情報を送信すると仮定し、転送待ち情報に含まれるターゲット情報が現在の位置するエリアで交通渋滞が発生することを示すための情報であり、転送待ち情報に含まれる該転送条件情報に、前記転送待ち情報を転送する必要がある端末装置と前記第一の端末装置との最小距離Ｒｍｉｎ、及び前記転送待ち情報を転送する必要がある端末装置と前記第一の端末装置との最大距離Ｒｍａｘが含まれる。端末装置１０が該転送条件情報を含む該転送待ち情報を送信した後、該転送条件情報に示される転送条件を満たす端末装置だけが該転送待ち情報を転送することができ、即ち端末装置１０からの距離がＲｍｉｎからＲｍａｘまでの範囲にある端末装置だけが該転送待ち情報を転送することができ、その中の該転送待ち情報を受信した何かしらの端末装置は、端末装置１０からの距離がＲｍｉｎより小さい又はＲｍａｘより大きい場合、該転送待ち情報を転送しない。Ｖ２Ｘ通信プロセスでは、２つの端末装置の間の距離が非常に近い場合、このような転送の意義があまり大きくなく、例えば、それぞれ同じ道路の２本の車線に同じ方向で並んで移動する２つの車に対して、その有効カバレッジが基本的に一致すると考えても良く、この２つの車の間の不必要な転送を回避してネットワーク輻輳を減少することができる。２つの端末装置の距離が非常に遠い場合、一つの端末装置の交通状況が他の端末装置に及ぼす影響は無視されてもよい。
【００６１】
選択可能に、該転送条件情報に前記転送待ち情報を転送する必要がある端末装置と前記第一の端末装置との最小距離及び／又は最大距離が含まれる場合、他の端末装置が該転送待ち情報を受信してから、該位置情報に基づいて端末装置１０との距離を確定することが可能となるように、端末装置１０から送信された転送待ち情報に、該端末装置１０の位置情報を含ませてもよい。
【００６２】
Ｖ２Ｘ通信プロセスでは、リアルタイム交通情報の伝播のようないくつかの情報は時間制限がある。そのため、端末装置１０は該ターゲット情報を送信する場合、該ターゲット情報の有効時間範囲をつけて一緒に送信することができる。
【００６３】
選択可能に、該時間条件情報は該転送待ち情報の送信時点と最長転送時間を含み、又は該時間条件情報は該転送待ち情報の転送終了時点を含む。
【００６４】
ここで、該送信時点又は転送終了時点はタイムスタンプで表されてもよく、例えば協定世界時（Ｕｎｉｖｅｒｓａｌ  Ｔｉｍｅ  Ｃｏｏｒｄｉｎａｔｅｄ、「ＵＴＣ」と略称）のタイムスタンプで表されてもよく、該最長転送時間は一つの具体的なタイムスタンプであってもよく、一つの時間長さであってもよい。
【００６５】
例えば、端末装置１０が走行中に、前方に交通警察が交通紛争を処理することに遭遇し、該交通紛争の処理時間が約５分間である場合、端末装置１０は、転送待ち情報を送信し、前方に５分間の徐行が必要であることを他の端末装置に通知し、該転送待ち情報にターゲット情報、即ち該交通紛争の情報だけでなく、該時間情報５分間と端末装置１０が該転送待ち情報を送信する時点情報例えば１４：００が含まれる。他の端末装置は該転送待ち情報を受信する時に、転送条件情報に基づき、転送し続けるか否かを判定し、該初期メッセージを受信した時点が１４：０２である場合、ある端末装置が転送条件情報に基づいて１４：０２が１４：００−１４：０５にあることが確定でき、該交通紛争がまだ処理終わっていないことを示し、そのため該転送待ち情報を他の端末装置に転送し続ける。ある端末装置が該転送待ち情報を受信した時点が１４：０７である場合、転送条件情報に基づいて１４：０７が１４：０５を超えていることを確定でき、該交通紛争が既に処理終わっていることを示し、そのため該転送条件を含む該転送待ち情報を転送する必要がなく、ネットワーク輻輳を減少し、他の重要な情報が適時に転送されることが可能となる。
【００６６】
２０２において、端末装置１０は該転送待ち情報を送信する。
【００６７】
具体的には、端末装置１０は送信される必要がある転送待ち情報を確定した後、該転送待ち情報を送信し、該転送待ち情報がターゲット情報と該ターゲット情報が転送し続けられることができるか否かを示すための転送条件情報とを含む。
【００６８】
選択可能に、端末装置１０は該転送待ち情報をブロードキャストにより送信する。
【００６９】
２０３において、端末装置２０は端末装置１０から送信された転送待ち情報を受信する。
【００７０】
具体的には、端末装置１０は該転送待ち情報を送信した後、端末装置２０は端末装置１０から送信された該転送待ち情報を受信し、該転送待ち情報がターゲット情報と転送条件情報を含む。端末装置２０は該転送条件情報に基づき、該転送待ち情報を転送するか否かを確定する。
【００７１】
理解すべきものとして、ここで端末装置２０が端末装置１０から送信された該転送待ち情報を受信することを例として説明し、端末装置１０から送信された該転送待ち情報が他の端末装置によって受信されてもよく、他の端末装置は該転送待ち情報を受信した後、端末装置２０と同じ方法を実行することができ、簡潔にするために、ここで説明を省略する。
【００７２】
選択可能に、該端末装置２０は端末装置１０がブロードキャストにより送信した該転送待ち情報を受信する。
【００７３】
２０４において、端末装置２０は該転送条件情報に基づき、該転送待ち情報を転送するか否かを確定する。
【００７４】
具体的には、端末装置２０が端末装置１０からターゲット情報と転送条件情報を含む該転送待ち情報を受信した場合、端末装置２０は該転送待ち情報に含まれる転送条件情報に基づき、他の端末装置へ該転送待ち情報を転送するか否かを確定する。該転送条件情報は位置条件情報及び／又は時間条件情報を含むことができる。端末装置２０が前記転送条件情報に示される転送条件を満たす場合、該転送待ち情報を転送することを確定し、端末装置２０が前記転送条件情報に示される転送条件を満たさない場合、該転送待ち情報の転送を禁止する。理解すべきものとして、該端末装置２０は該転送条件情報に基づいて転送ターゲット情報を確定する場合、該ターゲット情報を転送するとともに、該転送条件情報を転送することができる。
【００７５】
例えば、該転送条件情報に前記転送待ち情報を転送する必要がある端末装置と前記第一の端末装置との最小距離及び最大距離が含まれる場合、端末装置２０に受信された転送待ち情報に該端末装置１０の位置情報が含まれてもよい。これにより、端末装置２０は端末装置１０の位置情報とそれ自体の位置に基づき、該端末装置２０と端末装置１０の間の距離が該最小距離と該最大距離の要求を満たすか否かを確定し、且つ該転送待ち情報を転送するか否かを確定することができる。端末装置２０は端末装置１０から送信された転送待ち情報を受信したと仮定し、該転送待ち情報がターゲット情報と転送条件情報を含み、該ターゲット情報が端末装置１０の位置に交通渋滞が発生することを示し、該転送条件情報が前記転送待ち情報を転送する必要がある端末装置と前記第一の端末装置との最小距離Ｒｍｉｎ＝５００ｍ及び最大距離Ｒｍａｘ＝５ｋｍを含む。端末装置２０はさらに端末装置１０から送信された端末装置１０の位置情報、例えば端末装置１０が東経１１６°２３′１７〃、北緯３９°５４′５９〃に位置するという位置情報を受信することができる。端末装置２０は、それ自体の位置が東経１１６°２３′１７〃、北緯３９°５６′６２〃であることを確定した場合、端末装置１０の位置情報と端末装置２０の位置情報に基づいて端末装置２０と端末装置１０との距離Ｒ＝２ｋｍと計算することができ、そのため該端末装置２０の位置が該最小距離より大きく且つ該最大距離より小さく、該端末装置２０は該初期メッセージを転送するとともに、端末装置２０の位置情報、即ち端末装置２０が東経１１６°２３′１７〃、北緯３９°５６′６２〃に位置するという情報を転送し、該渋滞情報を他の端末装置に通知する必要があり、他の端末装置が該交通渋滞メッセージを受信した後にそれ自体の走行ルートを調整又は交通手段を変更することが可能となる。端末装置２０は、それ自体の位置が東経１１６°２３′１７〃、北緯３９°５４′５８〃であることを確定した場合、端末装置１０の位置情報と端末装置２０の位置情報に基づいて端末装置２０と第一の端末装置１０の距離Ｒ＝１００ｍと計算し、そのため該端末装置２０の位置が該最小距離より小く、該端末装置２０は端末装置１０から１００ｍだけである位置に位置することを示し、該端末装置２０と該端末装置１０のカバレッジエリアが基本的に
同じであり、不要な情報転送を減少するために、該端末装置２０は該初期メッセージの転送を禁止する。端末装置２０がそれ自体の位置が東経１１６°２３′１７〃、北緯３９°５２′６２〃に位置すると仮定する場合、端末装置２０は端末装置１０の位置情報と端末装置２０の位置情報に基づいて端末装置２０と第一の端末装置１０の距離Ｒ＝7ｋｍ確定し、そのため該端末装置２０の位置が該最大距離より大きい場合、該端末装置２０が端末装置からの７ｋｍ以上の位置に位置することを示し、現在の渋滞範囲をはるかに超え、該渋滞状況の影響を小さく受け、そのため該端末装置２０は該初期メッセージを転送する必要がない。
【００７６】
したがって、本発明の実施例によるＤ２Ｄ通信方法では、情報転送を行う端末装置をフィルタリングし、一定の条件を満たす端末装置に転送待ち情報を転送させることにより、大量の情報転送に起因する輻輳を回避する。
【００７７】
いくつかのシーンにおいて、転送情報だけでなく、転送情報に含まれる経路（トポロジー構造）情報も有用である。例えば、Ｖ２Ｘ通信が交通事故支援、災害救援などの公共安全分野に応用される場合、Ｖ２Ｘ情報の伝送経路は非常に有用な情報である可能性がある。端末装置１０は、転送される必要がある情報をＰＣインタフェースで送信する場合、情報転送を行うとともに、それ自体の属性情報をつけて一緒に送信するように該情報を転送する端末装置に要求することができる。
【００７８】
選択可能に、図３は本発明の他の実施例によるＤ２Ｄ通信方法のプロセスインタラクション図である。２０１で端末装置１０によって確定された転送待ち情報は、ターゲット情報と転送条件情報だけでなく、該端末装置１０の属性情報と指示情報を含むことができる。２０２で端末装置１０は該転送情報を送信する。２０３で端末装置２０は端末装置１０から送信された該転送待ち情報を受信する時に、ターゲット情報と転送条件情報だけでなく、端末装置１０の属性情報と指示情報を取得することができる。ここで、該実施例では、該指示情報は、前記転送待ち情報を転送すると同時に、端末装置２０の属性情報も送信するように端末装置２０に指示することに用いられる。２０４で、端末装置２０が転送待ち情報に含まれる転送条件情報に基づき、該転送待ち情報を転送することを確定した場合、該２ＤＤ通信方法はさらに２０４１、２０５と２０６を含むことができる。ここで、２０４は２０４１に置き換えられてもよい。
【００７９】
２０５において、端末装置２０は該指示情報に基づいて転送情報を確定する。
【００８０】
端末装置２０は端末装置１０から送信された転送待ち情報を受信し、且つ該転送待ち情報における指示情報に基づいて転送情報を確定し、該転送情報が転送待ち情報と端末装置２０の属性情報を含む。
【００８１】
選択可能に、該属性情報は位置情報と、送信時点情報、端末装置２０のタイプ情報と端末装置２０の身元情報のうちの少なくとも一つと、を含む。
【００８２】
ここで、端末装置のタイプ情報は端末装置の属するタイプを指し、例えば該端末装置が速く移動する車載装置、遅く移動する無線装置、又は無線送信及び受信能力を有するネットワーク制御ノードなどであることを示す。異なるタイプの端末装置は異なるタイプ識別子でマーキングされてもよい。
【００８３】
また、端末装置の身元情報は各端末装置のそれぞれが有する異なる識別子を指し、例えばＶ２Ｖ通信プロセスでは、各車のナンバープレート番号はそれぞれの身元情報とみなすことができ、該端末装置の身元情報が分かれば、該端末装置を一意に確定することができる。
【００８４】
具体的には、端末装置１０はターゲット情報、転送条件情報、該端末装置１０の属性情報と指示情報を含む転送待ち情報を送信する。端末装置２０が該転送待ち情報を受信した後に、その中の転送条件情報に基づいて該転送待ち情報の転送を確定するとした場合、端末装置２０は、さらに該指示情報に基づいて転送情報を確定することができ、該転送情報が該転送待ち情報だけでなく、端末装置２０の属性情報を含む。
【００８５】
２０６において、端末装置２０は該転送情報を送信する。
【００８６】
具体的には、端末装置２０が端末装置１０から送信された転送待ち情報を受信した後、該転送待ち情報を転送することを確定する場合、端末装置２０は該指示情報に基づいて転送情報を確定し、該転送情報に該転送待ち情報だけでなく、端末装置２０の属性情報が含まれる。これにより、端末装置２０から送信された該転送情報を受信した端末装置は、該転送情報から端末装置２０の属性情報と端末装置１０の属性情報を取得することができ、それによって該転送待ち情報の伝送経路を確定でき、該伝送経路が前記転送待ち情報の転送に関与する端末装置の位置情報を含み、異なる端末装置から受信された該転送待ち情報に基づいて経路トポロジー構造を確定することができる。このようにして、一つの端末装置は、他の端末装置の位置及び分布を取得することができ、いくつかの特殊なシーン例えば災害救援現場で救援活動をガイドすることができる。
【００８７】
図４は本発明の他の実施例によるＤ２Ｄ通信方法のプロセスインタラクション図である。ここで端末装置１０と端末装置２０を例として説明するが、本発明の実施例はこれに限定されず、本発明の実施例における通信方法では、端末装置１０は端末装置２０を含む複数の端末装置へ該転送待ち情報を送信することができ、他の端末装置によって実行される方法について端末装置２０によって実行される方向を参照することができる。図４に示すように、該Ｄ２Ｄ通信方法は、
４０１において、端末装置１０は転送待ち情報を確定する。
【００８８】
具体的には、端末装置１０は他の端末装置に転送される必要がある転送待ち情報を確定し、該転送待ち情報にターゲット情報、端末装置１０の属性情報、及び指示情報が含まれる。該指示情報は、前記転送待ち情報を転送すると同時に、端末装置２０の属性情報も送信するように端末装置２０に指示することに用いられる。
【００８９】
選択可能に、該属性情報は位置情報と、送信時点情報、端末装置のタイプ情報と端末装置の身元情報のうちの少なくとも一つと、を含む。
【００９０】
４０２において、端末装置１０は該転送待ち情報を送信する。
【００９１】
具体的には、端末装置１０は、送信される必要がある転送待ち情報を確定した後、該転送待ち情報を送信し、該転送待ち情報がターゲット情報、端末装置１０の属性情報と指示情報を含む。
【００９２】
選択可能に、端末装置１０は該転送待ち情報をブロードキャストにより送信する。
【００９３】
４０３において、端末装置２０は該転送待ち情報を受信する。
【００９４】
具体的には、端末装置１０が該転送待ち情報を送信した後、端末装置２０は端末装置１０から送信された、ターゲット情報、端末装置１０の属性情報、及び指示情報を含む該転送待ち情報を受信する。端末装置２０は該指示情報に基づいて転送情報を確定し、該転送情報が該転送待ち情報と端末装置２０の属性情報を含む。
【００９５】
理解すべきものとして、ここで端末装置２０が端末装置１０から送信された該転送情報を受信することを例として説明し、端末装置１０から送信された該転送待ち情報はさらに他の端末装置によって受信されてもよく、他の端末装置は該転送待ち情報を受信した後、端末装置２０と同じ方法を実行することができ、簡潔にするために、ここで説明を省略する。
【００９６】
選択可能に、該端末装置２０は端末装置１０がブロードキャストにより送信した該転送待ち情報を受信する。
【００９７】
４０４において、端末装置２０は該指示情報に基づいて転送情報を確定する。
【００９８】
具体的には、端末装置１０は、ターゲット情報、該端末装置１０の属性情報、及び指示情報を含む転送待ち情報を端末装置２０に送信する。端末装置２０が端末装置１０から該転送待ち情報を受信した後、端末装置２０は他の端末装置へ該転送待ち情報を送信する必要がある。端末装置２０は該転送待ち情報に含まれる指示情報に基づいて転送情報を確定し、該転送情報が該転送待ち情報だけでなく、端末装置２０の属性情報を含む。
【００９９】
４０５において、端末装置２０は該転送情報を送信する。
【０１００】
具体的には、端末装置２０が端末装置１０からターゲット情報、端末装置１０の属性情報と指示情報を含む転送待ち情報を受信した後、端末装置２０は、送信端末２０が該指示情報に基づいて確定した転送情報を送信し、該転送情報に該転送待ち情報だけでなく、端末装置２０の属性情報が含まれる。該転送情報を受信した端末装置は該転送情報から端末装置２０の属性情報と端末装置１０の属性情報を取得することができ、これにより転送待ち情報の伝送経路を確定し、異なる端末装置から受信された該転送待ち情報に基づいて複数本の経路を確定して経路トポロジー構造を形成することができる。
【０１０１】
選択可能に、該方法はさらに、
端末装置２０が転送待ち情報に基づき、該転送待ち情報の転送に関与する端末装置の位置情報を含む、該転送待ち情報の伝送経路を確定することを含む。
【０１０２】
具体的には、端末装置２０は指示情報に基づき、該転送待ち情報と該端末装置２０の属性情報を含む転送情報を確定し、且つ該転送情報を転送する。他の端末装置は端末装置２０から送信された転送情報を受信した後、端末装置１０の位置情報と端末装置２０の位置情報を取得することができ、即ち、該転送情報を受信した端末装置は該転送情報の伝送経路を確定することができる。該転送情報を受信した端末装置はさらに他の端末装置から異なる経路を介して伝送された該転送情報を受信し、同様に該転送待ち情報の複数の異なる経路情報を取得してもよく、これにより転送待ち情報の伝送中の全ての経路を確定し、一つの経路トポロジー構造を形成できる。
【０１０３】
このようにして、各端末装置は他の端末装置の位置及び分布を取得することができ、且つ端末装置のタイプ情報が端末装置のタイプを区分でき、これにより、他の端末装置の位置及び分布を取得するとともに、各転送ポイントにある装置がどのタイプであるかを知り、車、歩行者又はその他が該情報を転送するか否かを判定することができ、いくつかの特殊なシーン例えば災害救援現場で救援活動をガイドすることができる。送信端末は形成された該トポロジー構造を使用して伝送経路に位置する特定端末（伝送経路における転送端末）に到達することができ、このようにしてＶ２Ｘ通信中の転送効率（このトポロジー構造を使用し、伝送経路に位置する特定端末だけが転送するように要求され）を向上させることができ、これは災害救援と事故処理に特殊な意義を持つ。同時に、伝送経路に搬送された地理位置情報に基づいてＶ２Ｘにおける車位置分布情報を得ることもでき、これは公共安全分野（災害救援、事故処理）にも役立つ。
【０１０４】
選択可能に、該方法はさらに、
端末装置２０が該転送待ち情報の複数の伝送経路に基づき、該複数の伝送経路における該転送待ち情報の転送に関与する複数の端末装置の位置分布状況を確定することを含む。
【０１０５】
例えば、該属性情報が位置情報を含むと仮定し、且つ端末装置３０が端末装置２０から送信された転送情報を受信したと仮定する場合、端末装置３０は該経路トポロジー構造に基づいて各車の具体的な位置を取得することができ、それによってどのエリアのトラフィックが密であるか、どのエリアのトラフィックが疎であるかを確定することができ、トラフィックが疎である道路を選択して走行し、より深刻な交通渋滞を回避することができる。
【０１０６】
選択可能に、該方法はさらに、
端末装置２０が該転送待ち情報の複数の伝送経路において、ターゲット伝送経路を確定することと、
端末装置２０が該ターゲット伝送経路に基づき、前記第一の端末装置へフィードバック情報を送信することとを含む。
【０１０７】
例えば、該属性情報が位置情報、時間情報と端末装置の身元情報を含むと仮定し、且つ端末装置３０が端末装置２０から送信された転送情報を受信したと仮定する場合、端末装置３０は該転送情報に基づいて転送待ち情報の伝送経路に基づき、各車の具体的な位置、及び異なる経路から該転送待ち情報を受信する時間を取得することができる。例えば、端末装置１０、端末装置２０と端末装置３０が災害救援現場にあり、端末装置３０は異なる端末装置から、異なる経路を介して端末装置１０から送信された該転送待ち情報を受信し、該転送待ち情報が端末装置１０が他の車の支援を必要とすることを示し、端末装置３０が端末装置２０から端末装置１０によって送信された該転送待ち情報を受信することに対応する経路において、該転送待ち情報の伝送にかかる時間が最も短いと仮定する場合、端末装置３０は、それ自体が端末装置１０を支援する能力を有する場合、該経路を通ることを選択することができ、即ち端末装置３０が端末装置２０を介して該端末装置１０、即ち前記第一の端末装置へフィードバック情報を送信し、それによって最も短い時間内で端末装置１０に通知し、該フィードバック情報が端末装置の身元情報に従って、この指定された経路を介して伝送して最終的に端末装置１０に到達するように、該フィードバック情報に端末装置３０の身元情報、端末装置２０の身元情報と端末装置１０の身元情報を含むことができる。
【０１０８】
理解すべきものとして、ここで端末装置３０が端末装置２０から送信された該転送情報を受信することを例として説明し、端末装置２０から送信された該転送情報がさらに他の端末装置によって受信されることが可能であり、他の端末装置は該転送情報を受信した後、端末装置３０と同じ方法を実行することができ、簡潔にするために、ここで説明を省略する。
【０１０９】
理解すべきものとして、本発明の各実施例では、上記各プロセスの順番の大きさが実行順序を意味せず、各プロセスの実行順序はその機能と内部ロジックによって確定されるべきであり、本発明の実施例の実施プロセスのいかなる限定を構成すべきではないと理解すべきである。
【０１１０】
以上に図１−図４を参照しながら、本発明の実施例によるＤ２Ｄ通信方法を説明し、以下に図５−図１６を参照しながら、本発明の実施例によるＤ２Ｄ装置を詳細に説明する。理解すべきものとして、本発明の実施例のネットワーク装置と端末装置は上記の本発明の実施例の各方法を実行することができ、即ち以下の様々な装置の具体的な動作プロセスについて、上記方法の実施例における対応するプロセスを参照することができる。
【０１１１】
図５は本発明の実施例によるＤ２Ｄ装置５００を示す図である。図５に示すように、該Ｄ２Ｄ装置５００は確定モジュール５０１と送信モジュール５０２を備える。
【０１１２】
確定モジュール５０１は、ターゲット情報と転送条件情報を含む転送待ち情報を確定するように構成される。
【０１１３】
送信モジュール５０２は、前記確定モジュールによって確定された前記転送待ち情報を送信し、第二の端末装置が前記転送待ち情報を受信する時に、前記転送条件情報に基づき、前記転送待ち情報を転送するか否かを確定するようにするように構成される。
【０１１４】
選択可能に、前記転送条件情報は位置条件情報及び／又は時間条件情報を含む。
【０１１５】
選択可能に、前記位置条件情報は、
前記転送待ち情報を転送する必要がある端末装置の経度座標範囲、前記転送待ち情報を転送する必要がある端末装置の緯度座標範囲、前記転送待ち情報を転送する必要がある端末装置の高度座標範囲、前記転送待ち情報を転送する必要がある端末装置と前記第一の端末装置の間の最小距離、及び前記転送待ち情報を転送する必要がある端末装置と前記第一の端末装置の間の最大距離のうちの少なくとも一つを含む。
【０１１６】
選択可能に、前記時間条件情報は前記転送待ち情報の送信時点と最長転送時間を含み、又は前記時間条件情報は前記転送待ち情報の転送終了時点を含む。
【０１１７】
選択可能に、前記転送待ち情報は前記第一の端末装置の属性情報と指示情報を含み、前記指示情報が、前記転送待ち情報を転送すると同時に、前記第二の端末装置の属性情報も送信するように前記第二の端末装置に指示することに用いられる。
【０１１８】
選択可能に、前記属性情報は位置情報と、送信時点情報、端末装置のタイプ情報と端末装置の身元情報のうちの少なくとも一つと、を含む。
【０１１９】
選択可能に、前記送信モジュール５０２は具体的に、
前記転送待ち情報をブロードキャストにより送信するように構成される。
【０１２０】
注意すべきものとして、本発明の実施例では、確定モジュール５０１はプロセッサによって実現されてもよく、送信モジュール５０２は送信機によって実現されてもよい。図６に示すように、Ｄ２Ｄ装置６００はプロセッサ６０１、受信機６０２、送信機６０３とメモリ６０４を備えることができる。ここで、メモリ６０４は命令を記憶するように構成されてもよく、またプロセッサ６０１で実行されるコードなどを記憶するように構成されてもよい。Ｄ２Ｄ装置６００における各部材はバスシステム６０５を介して結合され、バスシステム６０５がデータバス以外、電源バス、制御バスと状態信号バスを含む。ここで、プロセッサ６０１は具体的に、
ターゲット情報と転送条件情報を含む転送待ち情報を確定するように構成される。
【０１２１】
送信機６０３は、
前記プロセッサ６０１によって確定された前記転送待ち情報を確定し、第二の端末装置が前記転送待ち情報を受信する時に、前記転送条件情報に基づき、前記転送待ち情報を転送するか否かを確定するようにするように構成される。
【０１２２】
選択可能に、前記転送条件情報は位置条件情報及び／又は時間条件情報を含む。
【０１２３】
選択可能に、前記位置条件情報は、
前記転送待ち情報を転送する必要がある端末装置の経度座標範囲、前記転送待ち情報を転送する必要がある端末装置の緯度座標範囲、前記転送待ち情報を転送する必要がある端末装置の高度座標範囲、前記転送待ち情報を転送する必要がある端末装置と前記第一の端末装置の間の最小距離、及び前記転送待ち情報を転送する必要がある端末装置と前記第一の端末装置の間の最大距離のうちの少なくとも一つを含む。
【０１２４】
選択可能に、前記時間条件情報は前記転送待ち情報の送信時点と最長転送時間を含み、又は前記時間条件情報は前記転送待ち情報の転送終了時点を含む。
【０１２５】
選択可能に、前記転送待ち情報は前記第一の端末装置の属性情報と指示情報を含み、前記指示情報が、前記転送待ち情報を転送すると同時に、前記第二の端末装置の属性情報も送信するように前記第二の端末装置に指示することに用いられる。
【０１２６】
選択可能に、前記属性情報は位置情報と、送信時点情報、端末装置のタイプ情報と端末装置の身元情報のうちの少なくとも一つと、を含む。
【０１２７】
選択可能に、前記送信機６０３は具体的に、
前記転送待ち情報をブロードキャストにより送信するように構成される。
【０１２８】
図７は本発明の実施例によるシステムチップの概略構造図である。図７のシステムチップ７００は入力インタフェース７０１、出力インタフェース７０２、少なくとも一つのプロセッサ７０３、メモリ７０４を備え、前記入力インタフェース７０１、出力インタフェース７０２、前記プロセッサ７０３及びメモリ７０４がバス７０５を介して接続し、前記プロセッサ７０３が前記メモリ７０４でのコードを実行するように構成され、前記コードが実行される場合、前記プロセッサ７０３が図２又は図３における第一の端末装置で実行される方法を実施する。
【０１２９】
図８は本発明の他の実施例によるＤ２Ｄ装置８００の概略ブロック図である。図８に示すように、該Ｄ２Ｄ装置８００は受信モジュール８０１、確定モジュール８０２と送信モジュール８０３を備えることができる。
【０１３０】
受信モジュール８０１は、第一の端末装置から送信された、ターゲット情報と転送条件情報を含む転送待ち情報を受信するように構成される。
【０１３１】
確定モジュール８０２は、前記受信モジュールによって受信された前記転送条件情報に基づき、前記転送待ち情報を転送するか否かを確定するように構成される。
【０１３２】
選択可能に、前記確定モジュール８０２は具体的に、
前記第二の端末装置が前記転送条件情報に示される転送条件を満たす場合、前記転送待ち情報を転送することを確定し、
前記第二の端末装置が前記転送条件情報に示される転送条件を満たさない場合、前記転送待ち情報の転送を禁止するように構成される。
【０１３３】
選択可能に、前記転送条件情報が位置条件情報及び／又は時間条件情報を含み、前記確定モジュール８０２は具体的に、
前記位置条件情報と前記第二の端末装置の位置、及び／又は前記時間条件情報と前記第二の端末装置が前記転送待ち情報を受信した時点に基づき、前記転送待ち情報を転送するか否かを確定するように構成される。
【０１３４】
選択可能に、前記位置条件情報は、
前記転送待ち情報を転送する必要がある端末装置の経度座標範囲、前記転送待ち情報を転送する必要がある端末装置の緯度座標範囲、前記転送待ち情報を転送する必要がある端末装置の高度座標範囲、前記転送待ち情報を転送する必要がある端末装置と前記第一の端末装置の間の最小距離、及び前記転送待ち情報を転送する必要がある端末装置と前記第一の端末装置の間の最大距離のうちの少なくとも一つを含む。
【０１３５】
選択可能に、前記時間条件情報は前記転送待ち情報の送信時点と最長転送時間を含み、又は前記時間条件情報は前記転送待ち情報の転送終了時点を含む。
【０１３６】
選択可能に、前記Ｄ２Ｄ装置はさらに送信モジュール８０３を備え、前記転送待ち情報が前記第一の端末装置の属性情報と指示情報を含み、前記第二の端末装置が前記転送待ち情報を転送することを確定した場合、前記確定モジュール８０２はさらに、
前記指示情報に基づき、前記転送待ち情報と前記第二の端末装置の属性情報を含む転送情報を確定するように構成され、
前記送信モジュール８０３は前記転送情報を転送するように構成される。
【０１３７】
選択可能に、前記属性情報は位置情報と、送信時点情報、端末装置のタイプ情報と端末装置の身元情報のうちの少なくとも一つと、を含む。
【０１３８】
選択可能に、前記送信モジュール８０３は具体的に、
前記転送情報をブロードキャストするように構成される。
【０１３９】
注意すべきものとして、本発明の実施例では、確定モジュール８０２はプロセッサによって実現されてもよく、受信モジュール８０１は受信機によって実現されてもよく、送信モジュール８０３は送信機によって実現されてもよい。図９に示すように、Ｄ２Ｄ装置９００はプロセッサ９０１、受信機９０２、送信機９０３とメモリ９０４を備えることができる。ここで、メモリ９０４は命令を記憶するように構成されてもよく、またプロセッサ９０１で実行されるコードなどを記憶するように構成されてもよい。Ｄ２Ｄ装置９００における各部材はバスシステム９０５を介して結合され、バスシステム９０５がデータバス以外、電源バス、制御バスと状態信号バスを含む。ここで、受信機９０２は具体的に、
第一の端末装置から送信された、ターゲット情報と転送条件情報を含む転送待ち情報を受信するように構成され、
プロセッサ９０１は、前記受信機９０２によって受信された前記転送条件情報に基づき、前記転送待ち情報を転送するか否かを確定するように構成される。
【０１４０】
選択可能に、プロセッサ９０１は具体的に、
前記第二の端末装置が前記転送条件情報に示される転送条件を満たす場合、前記転送待ち情報を転送するこを確定し、
前記第二の端末装置が前記転送条件情報に示される転送条件を満たさない場合、前記転送待ち情報の転送を禁止するように構成される。
【０１４１】
選択可能に、前記転送条件情報が位置条件情報及び／又は時間条件情報を含み、前記プロセッサ９０１は具体的に、
前記位置条件情報と前記第二の端末装置の位置、及び／又は前記時間条件情報と前記第二の端末装置が前記転送待ち情報を受信した時点に基づき、前記転送待ち情報を転送するか否かを確定するように構成される。
【０１４２】
選択可能に、前記位置条件情報は、
前記転送待ち情報を転送する必要がある端末装置の経度座標範囲、前記転送待ち情報を転送する必要がある端末装置の緯度座標範囲、前記転送待ち情報を転送する必要がある端末装置の高度座標範囲、前記転送待ち情報を転送する必要がある端末装置と前記第一の端末装置の間の最小距離、及び前記転送待ち情報を転送する必要がある端末装置と前記第一の端末装置の間の最大距離のうちの少なくとも一つを含む。
【０１４３】
選択可能に、前記時間条件情報は前記転送待ち情報の送信時点と最長転送時間を含み、又は前記時間条件情報は前記転送待ち情報の転送終了時点を含む。
【０１４４】
選択可能に、前記転送待ち情報が前記第一の端末装置の属性情報と指示情報を含み、前記プロセッサ９０１が前記転送待ち情報を転送することを確定した場合、前記プロセッサ９０１はさらに、
前記指示情報に基づき、前記転送待ち情報と前記第二の端末装置の属性情報を含む転送情報を確定するように構成され、
前記送信モジュール９０３は前記転送情報を転送するように構成される。
【０１４５】
選択可能に、前記属性情報は位置情報と、送信時点情報、端末装置のタイプ情報と端末装置の身元情報のうちの少なくとも一つと、を含む。
【０１４６】
選択可能に、前記送信機９０３は具体的に、
前記転送情報をブロードキャストするように構成される。
【０１４７】
図１０は本発明の実施例によるシステムチップの概略構造ブロックである。図１０のシステムチップ１０００は入力インタフェース１００１、出力インタフェース１００２、少なくとも一つのプロセッサ１００３、メモリ１００４を備え、前記入力インタフェース１００１、出力インタフェース１００２、前記プロセッサ１００３及びメモリ１００４がバス１００５を介して接続し、前記プロセッサ１００３が前記メモリ１００４でのコードを実行するように構成され、前記コードが実行される場合、前記プロセッサ１００３が図２又は図３における第二の端末装置で実行される方法を実施することができる。
【０１４８】
図１１は本発明の実施例によるＤ２Ｄ装置１１００の概略ブロック図である。図１１に示すように、該Ｄ２Ｄ装置１１００は確定モジュール１１０１と送信モジュール１１０２を備える。
【０１４９】
確定モジュール１１０１は、ターゲット情報、第一の端末装置の属性情報と指示情報を含む転送待ち情報を確定するように構成され、
送信モジュール１１０２は、前記確定モジュール１１０１によって確定された前記転送待ち情報を送信するように構成され、前記指示情報が、前記転送待ち情報を転送すると同時に、前記第二の端末装置の属性情報も送信するように前記第二の端末装置に指示することに用いられる。
【０１５０】
選択可能に、前記属性情報は位置情報と、送信時点情報、端末装置のタイプ情報と端末装置の身元情報のうちの少なくとも一つと、を含む。
【０１５１】
選択可能に、前記送信モジュール１１０２は具体的に、
前記転送待ち情報をブロードキャストにより送信するように構成される。
【０１５２】
注意すべきものとして、本発明の実施例では、確定モジュール１１０１はプロセッサによって実現されてもよく、送信モジュール５０２は送信機によって実現されてもよい。図１２に示すように、Ｄ２Ｄ装置１２００はプロセッサ１２０１、受信機１２０２、送信機１２０３とメモリ１２０４を備えることができる。ここで、メモリ１２０４は命令を記憶するように構成されてもよく、またプロセッサ１２０１で実行されるコードなどを記憶するように構成されてもよい。Ｄ２Ｄ装置１２００における各部材はバスシステム１２０５を介して結合され、バスシステム１２０５がデータバス以外、電源バス、制御バスと状態信号バスを含む。ここで、プロセッサ１２０１は具体的に、
ターゲット情報、第一の端末装置の属性情報と指示情報を含む転送待ち情報を確定するように構成される。
【０１５３】
送信機１２０３は、
前記プロセッサ１２０１によって確定された前記転送待ち情報を送信するように構成され、前記指示情報が、前記転送待ち情報を転送すると同時に、前記第二の端末装置の属性情報も送信するように前記第二の端末装置に指示することに用いられる。
【０１５４】
選択可能に、前記属性情報は位置情報と、送信時点情報、端末装置のタイプ情報と端末装置の身元情報のうちの少なくとも一つと、を含む。
【０１５５】
選択可能に、前記送信機１２０３は具体的に、
前記転送待ち情報をブロードキャストにより送信するように構成される。
【０１５６】
図１３は本発明の実施例によるシステムチップの概略構造図である。図１３のシステムチップ１３００は入力インタフェース１３０１、出力インタフェース１３０２、少なくとも一つのプロセッサ１３０３、メモリ１３０４を備え、前記入力インタフェース１３０１、出力インタフェース１３０２、前記プロセッサ１３０３及びメモリ１３０４がバス１３０５を介して接続し、前記プロセッサ１３０３が前記メモリ１３０４でのコードを実行するように構成され、前記コードが実行される場合、前記プロセッサ１３０３が図４における第一の端末装置で実行される方法を実施する。
【０１５７】
図１４は本発明の他の実施例によるＤ２Ｄ装置１４００の概略ブロック図である。図１４に示すように、該Ｄ２Ｄ装置１４００は受信モジュール１４０１、確定モジュール１４０２と送信モジュール１４０３を備える。
【０１５８】
受信モジュール１４０１は、第一の端末装置から送信された、ターゲット情報、前記第一の端末装置の属性情報と指示情報を含む転送待ち情報を受信するように構成され、
確定モジュール１４０２は、前記受信モジュール１４０１によって受信された前記指示情報に基づいて前記転送待ち情報と前記第二の端末装置の属性情報を含む転送情報を確定するように構成される。
【０１５９】
送信モジュール１４０３は、前記確定モジュール１４０２によって確定された前記転送情報を送信するように構成される。
【０１６０】
選択可能に、前記属性情報は位置情報と、送信時点情報、端末装置のタイプ情報と端末装置の身元情報のうちの少なくとも一つと、を含む。
【０１６１】
選択可能に、前記受信モジュール１４０１が前記第一の端末装置から送信された前記転送待ち情報を受信した場合、前記確定モジュール１４０２はさらに、
前記転送待ち情報に基づき、前記転送待ち情報の転送に関与する端末装置の位置情報を含む、前記転送待ち情報の伝送経路を確定するように構成される。
【０１６２】
選択可能に、前記確定モジュール１４０２はさらに、
前記転送待ち情報の複数の伝送経路において、ターゲット伝送経路を確定するように構成され、
前記送信モジュール１４０３はさらに、前記ターゲット伝送経路に基づき、前記第一の端末装置へフィードバック情報を送信するように構成される。
【０１６３】
選択可能に、前記確定モジュール１４０２はさらに、
前記転送待ち情報の複数の伝送経路に基づき、前記複数の伝送経路における前記転送待ち情報の転送に関与する複数の端末装置の位置分布状況を確定するように構成される。
【０１６４】
選択可能に、前記送信モジュール１４０３は具体的に、
前記転送情報をブロードキャストにより送信するように構成される。
【０１６５】
注意すべきものとして、本発明の実施例では、確定モジュール１４０２はプロセッサによって実現されてもよく、受信モジュール１４０１は受信機によって実現されてもよく、送信モジュール１４０３は送信機によって実現されてもよい。図１５に示すように、Ｄ２Ｄ装置１５００はプロセッサ１５０１、受信機１５０２、送信機１５０３とメモリ１５０４を備えることができる。ここで、メモリ１５０４は命令を記憶するように構成されてもよく、またプロセッサ１５０１で実行されるコードなどを記憶するように構成されてもよい。Ｄ２Ｄ装置１５００における各部材はバスシステム１５０５を介して結合され、バスシステム１５０５がデータバス以外、電源バス、制御バスと状態信号バスを含む。ここで、受信機１５０２は具体的に、
第一の端末装置から送信された、ターゲット情報、前記第一の端末装置の属性情報と指示情報を含む転送待ち情報を受信するように構成され、
プロセッサ１５０１は、前記受信モジュール１４０１によって受信された前記指示情報に基づき、前記転送待ち情報と前記第二の端末装置の属性情報を含む転送情報を確定するように構成される。
【０１６６】
送信機１５０３は前記プロセッサ１５０１によって確定された前記転送情報を送信するように構成される。
【０１６７】
選択可能に、前記属性情報は位置情報と、送信時点情報、端末装置のタイプ情報と端末装置の身元情報のうちの少なくとも一つと、を含む。
【０１６８】
選択可能に、前記受信機１５０２が前記第一の端末装置から送信された前記転送待ち情報を受信した場合、前記プロセッサ１５０１はさらに、
前記転送待ち情報に基づき、前記転送待ち情報の転送に関与する端末装置の位置情報を含む、前記転送待ち情報の伝送経路を確定するように構成される。
【０１６９】
選択可能に、前記プロセッサ１５０１はさらに、
前記転送待ち情報の複数の伝送経路において、ターゲット伝送経路を確定するように構成され、
前記送信機１５０３はさらに前記ターゲット伝送経路に基づき、前記第一の端末装置へフィードバック情報を送信するように構成される。
【０１７０】
選択可能に、前記プロセッサ１５０１はさらに、
前記転送待ち情報の複数の伝送経路に基づき、該複数の伝送経路における該転送待ち情報の転送に関与する複数の端末装置の位置分布状況を確定するように構成される。
【０１７１】
選択可能に、前記送信機１５０３は具体的に、
前記転送情報をブロードキャストにより送信するように構成される。
【０１７２】
図１６は本発明の他の実施例によるシステムチップの概略構造図である。図１６のシステムチップ１６００は入力インタフェース１６０１、出力インタフェース１6０２、少なくとも一つのプロセッサ１６０３、メモリ１６０４を備え、前記入力インタフェース１６０１、出力インタフェース１６０２、前記プロセッサ１６０３及びメモリ１６０４がバス１６０５を介して接続し、前記プロセッサ１６０３が前記メモリ１６０４でのコードを実行するように構成され、前記コードが実行される場合、前記プロセッサ１６０３が図４における第二の端末装置で実行される方法を実施することができる。
【０１７３】
理解すべきものとして、本発明の実施例におけるプロセッサは、信号処理能力を有する集積回路チップであってもよい。実施過程では、上記方法の実施例における各ステップはプロセッサにおけるハードウェアの集積論理回路又はソフトウェア形態の命令により完了されてもよい。上記プロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブル論理デバイス、ディスクリートゲート又はトランジスタ論理デバイス、ディスクリートハードウェア部材であってもよい。本発明の実施例において開示される各方法、ステップ及び論理ブロック図を実現又は実行することができる。汎用プロセッサはマイクロプロセッサであってもよく、あるいは該プロセッサはいずれかの従来のプロセッサなどであってもよい。本発明の実施例と組み合わせて開示される方法のステップはハードウェア復号プロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。
【０１７４】
本発明の実施例におけるメモリは揮発性記憶装置又は不揮発性記憶装置であってもよく、又は揮発性記憶装置及び不揮発性記憶装置両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきものとして、本明細書に記載されたシステムと方法のメモリはこれらといずれかの他の適切なタイプのメモリを含むことを図るがこれらに限定されない。
【０１７５】
また、本明細書では用語「システム」と「ネットワーク」は本明細書において常に交換可能に使用される。本明細書では用語「及び／又は」は、関連するオブジェクトの関連関係を記述するためのものに過ぎず、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１７６】
理解すべきものとして、本発明の実施例では、「Ａに対応するＢ」はＢがＡと関連することを示し、Ａに基づいてＢを確定することができる。しかし、理解すべきものとして、Ａに基づいてＢを確定することはＡのみに基づいてＢを確定することを意味せず、Ａ及び／又は他の情報に基づいてＢを確定することができる。
【０１７７】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１７８】
本出願が提供するいくつかの実施例では、開示されるシステム、装置及び方法は他の方式により実現されてもよいと理解すべきである。例えば、上述した装置の実施例は例示的なものに過ぎず、例えば、前記ユニットの区分はロジック機能的区分に過ぎず、実際に実施する時に他の区分方式もあり得て、例えば複数のユニット又は部材は組み合わせられてもよい又は他のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１７９】
分離部材として説明された前記ユニットは物理的に分離するものであってもよく又は物理的に分離するものでなくてもよく、ユニットとして表示される部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１８０】
また、本発明の各実施例における各機能ユニットは一つの処理ユニットに統合されてもよく、個々のユニットは単独で物理的に存在してもよく、二つ又は二つ以上のユニットは一つのユニットに統合されてもよい。
【０１８１】
前記機能はソフトウェア機能ユニットの形態で実現され且つ独立した製品として販売又は使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１８２】
以上は、本発明の最適的な実施例に過ぎず、本発明を制限するものでなく、本分野の当業者に対して、本発明が各種類の変更と変化がある。本発明の主旨精神と原則の範囲内で、いかなる改修、同等の入れ替わり、改良等が、本発明の保護範囲内に含まれるべきである。
【図１】
2019523572.tif 000003
【図２】
2019523572.tif 000004
【図３】
2019523572.tif 000005
【図４】
2019523572.tif 000006
【図５】
2019523572.tif 000007
【図６】
2019523572.tif 000008
【図７】
2019523572.tif 000009
【図８】
2019523572.tif 000010
【図９】
2019523572.tif 000011
【図１０】
2019523572.tif 000012
【図１１】
2019523572.tif 000013
【図１２】
2019523572.tif 000014
【図１３】
2019523572.tif 000015
【図１４】
2019523572.tif 000016
【図１５】
2019523572.tif 000017
【図１６】
2019523572.tif 000018
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
装置対装置Ｄ２Ｄ通信方法であって、
第一の端末装置がターゲット情報と転送条件情報を含む転送待ち情報を確定することと、
前記第一の端末装置が前記転送待ち情報を送信し、第二の端末装置が前記転送待ち情報を受信する時に、前記転送条件情報に基づき、前記転送待ち情報を転送するか否かを確定するようにすることとを含む、装置対装置Ｄ２Ｄ通信方法。
【請求項２】
前記転送条件情報は、位置条件情報及び／又は時間条件情報を含むことを特徴とする
請求項１に記載の方法。
【請求項３】
前記位置条件情報は、
前記転送待ち情報を転送する必要がある端末装置の経度座標範囲、前記転送待ち情報を転送する必要がある端末装置の緯度座標範囲、前記転送待ち情報を転送する必要がある端末装置の高度座標範囲、前記転送待ち情報を転送する必要がある端末装置と前記第一の端末装置の間の最小距離、及び前記転送待ち情報を転送する必要がある端末装置と前記第一の端末装置の間の最大距離のうちの少なくとも一つを含むことを特徴とする
請求項２に記載の方法。
【請求項４】
前記時間条件情報は前記転送待ち情報の送信時点と最長転送時間を含み、又は前記時間条件情報は前記転送待ち情報の転送終了時点を含むことを特徴とする
請求項２又は３に記載の方法。
【請求項５】
前記転送待ち情報は前記第一の端末装置の属性情報と指示情報を含み、前記指示情報が、前記第二の端末装置が前記転送待ち情報を転送すると同時に、前記第二の端末装置の属性情報も送信するように前記第二の端末装置に指示することに用いられることを特徴とする
請求項１乃至４のいずれか一項に記載の方法。
【請求項６】
前記属性情報は位置情報と、送信時点情報、端末装置のタイプ情報と端末装置の身元情報のうちの少なくとも一つと、を含むことを特徴とする
請求項５に記載の方法。
【請求項７】
前記第一の端末装置が前記転送待ち情報を送信することは、
前記第一の端末装置が前記転送待ち情報をブロードキャストにより送信することを含むことを特徴とする
請求項１乃至６のいずれか一項に記載の方法。
【請求項８】
前記第一の端末装置は車載装置であり、前記ターゲット情報は前記第一の端末装置のユーザニーズ情報又は現在の交通状況情報を含むことを特徴とする
請求項１乃至７のいずれか一項に記載の方法。
【請求項９】
装置対装置Ｄ２Ｄ通信方法であって、
第二の端末装置が第一の端末装置から送信された、ターゲット情報と転送条件情報を含む転送待ち情報を受信することと、
前記第二の端末装置が前記転送条件情報に基づき、前記転送待ち情報を転送するか否かを確定することとを含む、装置対装置Ｄ２Ｄ通信方法。
【請求項１０】
前記第二の端末装置が前記転送条件情報に基づき、前記転送待ち情報を転送するか否かを確定することは、
前記第二の端末装置が前記転送条件情報に示される転送条件を満たす場合、前記転送待ち情報を転送することを確定することと、
前記第二の端末装置が前記転送条件情報に示される転送条件を満たさない場合、前記転送待ち情報の転送を禁止することとを含むことを特徴とする
請求項９に記載の方法。
【請求項１１】
前記転送条件情報は位置条件情報及び／又は時間条件情報を含み、前記第二の端末装置が前記転送条件情報に基づき、前記転送待ち情報を転送するか否かを確定することは、
前記第二の端末装置が前記位置条件情報と前記第二の端末装置の位置及び／又は前記時間条件情報と前記第二の端末装置が前記転送待ち情報を受信した時点に基づき、前記転送待ち情報を転送するか否かを確定することを含むことを特徴とする
請求項９又は１０に記載の方法。
【請求項１２】
前記転送待ち情報が前記第一の端末装置の属性情報と指示情報を含み、前記第二の端末装置が前記転送待ち情報を転送することを確定した場合、前記方法はさらに、
前記第二の端末装置が前記指示情報に基づき、前記転送待ち情報と前記第二の端末装置の属性情報を含む転送情報を確定することと、
前記第二の端末装置が前記転送情報を転送することとを含むことを特徴とする
請求項９乃至１１のいずれか一項に記載の方法。
【国際調査報告】
2019523572.tif 000019
2019523572.tif 000020
2019523572.tif 000021
2019523572.tif 000022